【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
タッチパネルを有するディスプレイと、
音声データを記憶する不揮発性メモリと、
音声録音再生プログラムを実行するプロセッサと、
を具備し、
前記プロセッサは、
前記ディスプレイ上に少なくとも音声を録音するための録音画面、前記音声を再生するための再生画面を表示し、
前記録音画面を用いて録音した前記音声データを前記不揮発性メモリに記憶し、
前記再生画面を用いて前記不揮発性メモリに記憶した前記音声データを再生し、
前記再生画面には、発話区間を示す発話区間バーが発話した話者をそれぞれ識別可能に表示し、
前記再生画面を用いて前記音声データを音声再生中に、前記再生画面の特定エリアを長押しした時、再生モードから編集モードに移行させ、
前記編集モードにおいて、第１話者の第１発話区間と第２話者の第２発話区間を統合する操作が実行された時、前記第２話者として識別されている全ての前記第２発話区間を前記第１話者の前記第１発話区間に一括して修正する、
電子機器。
【請求項２】
前記再生画面の特定エリアは、前記音声データの録音の際に識別した話者を話者毎に表示した話者マークであり、
前記プロセッサは、
前記話者マークの前記第１話者に対応する位置を長押しした時、再生モードから編集モードに移行させ、
前記第１話者に対応する前記話者マークから前記第２話者に対応する前記話者マークになぞる移動操作に応答して前記統合する操作を実行する、
請求項１に記載の電子機器。
【請求項３】
前記プロセッサは、前記第１発話区間への統合が完了した場合、又は前記ディスプレイ上の前記発話区間を示す発話区間バーの表示領域、および前記特定エリアの表示領域以外をタッチすると、前記編集モードから前記再生モードに復帰する請求項１に記載の電子機器。
【請求項４】
前記プロセッサは、前記編集モードにおいて、第３話者から第４話者に変更したい前記発話区間バーをタッチしたことを受けて、そのタッチされた発話区間を前記第３話者から前記第４話者に修正し、前記第３話者と識別されている他の話者区間は修正しない請求項１に記載の電子機器。
【請求項５】
前記プロセッサは、前記音声データを録音する時、簡易的な第１手法により話者を識別して前記不揮発性メモリに記憶し、前記不揮発性メモリに記憶した前記音声データを本格的な第２手法により再度話者を識別して、その識別結果をインデックスデータとして前記不揮発性メモリに記憶し、前記インデックスデータに基づき前記発話区間を示す発話区間バーの話者を識別可能に表示する請求項１に記載の電子機器。
【請求項６】
タッチパネルを有するディスプレイ上に、少なくとも音声を録音するための録音画面、前記音声を再生するための再生画面を表示し、
前記録音画面を用いて録音した音声データを不揮発性メモリに記憶し、
前記再生画面を用いて前記不揮発性メモリに記憶した前記音声データを再生し、
前記再生画面には、発話区間を示す発話区間バーが発話した話者をそれぞれ識別可能に表示し、
前記再生画面を用いて前記音声データを音声再生中に、前記再生画面の特定エリアを長押しした時、再生モードから編集モードに移行させ、
前記編集モードにおいて、第１話者の第１発話区間と第２話者の第２発話区間を統合する操作が実行された時、前記第２話者として識別されている全ての前記第２発話区間を前記第１話者の前記第１発話区間に一括して修正する、
電子機器の方法。
【請求項７】
前記再生画面の特定エリアは、前記音声データの録音の際に識別した話者を話者毎に表示した話者マークであり、
前記話者マークの前記第１話者に対応する位置を長押しした時、再生モードから編集モードに移行させ、
前記第１話者に対応する前記話者マークから前記第２話者に対応する前記話者マークになぞる移動操作に応答して前記統合する操作を実行する、
請求項６に記載の方法。
【請求項８】
コンピュータに、
タッチパネルを有するディスプレイ上に、少なくとも音声を録音するための録音画面、前記音声を再生するための再生画面を表示するステップと、
前記録音画面を用いて録音した音声データを不揮発性メモリに記憶するステップと、
前記再生画面を用いて前記不揮発性メモリに記憶した前記音声データを再生するステップと、
前記再生画面には、発話区間を示す発話区間バーが発話した話者をそれぞれ識別可能に表示するステップと、
前記再生画面を用いて前記音声データを音声再生中に、前記再生画面の特定エリアを長押しした時、再生モードから編集モードに移行させるステップと、
前記編集モードにおいて、第１話者の第１発話区間と第２話者の第２発話区間を統合する操作が実行された時、前記第２話者として識別されている全ての前記第２発話区間を前記第１話者の前記第１発話区間に一括して修正するステップと、
を実行させるためのプログラム。
【請求項９】
前記再生画面の特定エリアは、前記音声データの録音の際に識別した話者を話者毎に表示した話者マークであり、
前記話者マークの前記第１話者に対応する位置を長押しした時、再生モードから編集モードに移行させるステップと、
前記第１話者に対応する前記話者マークから前記第２話者に対応する前記話者マークになぞる移動操作に応答して前記統合する操作を実行するステップと、
を実行させる請求項８に記載のプログラム。
【請求項１０】
前記第１発話区間への統合が完了した場合、又は前記ディスプレイ上の前記発話区間を示す発話区間バーの表示領域、および前記特定エリアの表示領域以外をタッチすると、前記編集モードから前記再生モードに復帰するステップを実行させる請求項８に記載のプログラム。
【請求項１１】
前記編集モードにおいて、第３話者から第４話者に変更したい前記発話区間バーをタッチしたことを受けて、そのタッチされた発話区間を前記第３話者から前記第４話者に修正し、前記第３話者と識別されている他の話者区間は修正しないステップを実行させる請求項８に記載のプログラム。
【請求項１２】
前記音声データを録音する時、簡易的な第１手法により話者を識別して前記不揮発性メモリに記憶し、前記不揮発性メモリに記憶した前記音声データを本格的な第２手法により再度話者を識別して、その識別結果をインデックスデータとして前記不揮発性メモリに記憶し、前記インデックスデータに基づき前記発話区間を示す発話区間バーの話者を識別可能に表示するステップを実行させる請求項８に記載のプログラム。
【手続補正２】
【補正対象書類名】明細書
【補正対象項目名】０００７
【補正方法】変更
【補正の内容】
【０００７】
実施形態によれば、電子機器は、タッチパネルを有するディスプレイと、音声データを記憶する不揮発性メモリと、音声録音再生プログラムを実行するプロセッサと、を具備する。前記プロセッサは、前記ディスプレイ上に少なくとも音声を録音するための録音画面、前記音声を再生するための再生画面を表示し、前記録音画面を用いて録音した前記音声データを前記不揮発性メモリに記憶し、前記再生画面を用いて前記不揮発性メモリに記憶した前記音声データを再生し、前記再生画面には、発話区間を示す発話区間バーが発話した話者をそれぞれ識別可能に表示し、前記再生画面を用いて前記音声データを音声再生中に、前記再生画面の特定エリアを長押しした時、再生モードから編集モードに移行させ、前記編集モードにおいて、第１話者の第１発話区間と第２話者の第２発話区間を統合する操作が実行された時、前記第２話者として識別されている全ての前記第２発話区間を前記第１話者の前記第１発話区間に一括して修正する。